【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
電力系統に接続された電池の動作を制御する電池制御装置であって、
前記電池の状態を表す状態情報を外部装置に送信し、前記外部装置から前記電池の動作を制御するための動作制御情報を所定時間間隔で受信する第１通信手段と、
前記所定時間間隔より短い時間間隔で、前記動作制御情報に基づいて前記電池の動作を制御する制御手段と、を含む電池制御装置。
【請求項２】
前記制御手段は、前記所定時間間隔より短い時間間隔で、前記電力系統の状態と前記動作制御情報とに基づいて前記電池の動作を制御する、請求項１に記載の電池制御装置。
【請求項３】
前記制御手段は、前記所定時間間隔より短い時間間隔で電力系統の状態を受け付け、最新の前記電力系統の状態に基づき前記電池の動作を制御する、請求項１に記載の電池制御装置。
【請求項４】
前記第１通信手段は、前記状態情報を前記外部装置へ送信し、前記外部装置から前記動作制御情報を受信する送受信処理を前記所定時間間隔で実行する、請求項１から３のいずれか１項に記載の電池制御装置。
【請求項５】
前記状態情報として、前記電池の充放電可能容量または充放電出力を特定する電池情報を検出する第１検出手段を備える、請求項１から４のいずれか１項に記載の電池制御装置。
【請求項６】
前記状態情報として、前記電力系統と前記電池との連系点の状態を検出する第２検出手段を備える、請求項１から４のいずれか１項に記載の電池制御装置。
【請求項７】
前記電力系統の状態と基準状態との差を検出する第３検出手段を備える、請求項１から６のいずれか１項に記載の電池制御装置。
【請求項８】
前記制御手段は、前記電力系統の状態と前記基準状態との差と、前記動作制御情報とに基づいて前記電池の動作を制御する、請求項７に記載の電池制御装置。
【請求項９】
前記制御手段は、前記電力系統の状態と前記基準状態との差と、前記動作制御情報とに基づいて前記電池の充放電量または充放電出力を算出し、前記電池に対して充電または放電の指示を行う、請求項７に記載の電池制御装置。
【請求項１０】
前記第１通信手段は、前記連系点の状態と、前記電力系統内の電圧調整対象箇所の電圧である調整対象電圧と、の相関関係を表す相関関係情報である前記動作制御情報を受信し、
前記制御手段は、前記相関関係情報を用いて、前記連系点の状態から前記調整対象電圧を算出し、当該算出の結果が所定電圧範囲から外れている場合、前記調整対象電圧が前記所定電圧範囲に収まるように、前記相関関係情報を用いて前記電池の動作を制御する、請求項６に記載の電池制御装置。
【請求項１１】
前記電力系統には、前記調整対象電圧が、前記所定電圧範囲内の特定電圧範囲から特定時間継続して外れている場合に、前記調整対象電圧を前記特定電圧範囲内の電圧に変更する電圧調整装置が設けられており、
前記制御手段は、前記算出の結果が前記所定電圧範囲の上限値よりも高い場合には、前記調整対象電圧が、当該上限値と前記特定電圧範囲の上限値との間の範囲に含まれるように、前記相関関係情報を用いて前記電池の動作を制御し、前記算出の結果が前記所定電圧範囲の下限値よりも低い場合には、前記調整対象電圧が、当該下限値と前記特定電圧範囲の下限値との間の範囲に含まれるように、前記相関関係情報を用いて前記電池の動作を制御する、請求項１０に記載の電池制御装置。
【請求項１２】
前記第１通信手段は、前記動作制御情報を不定期に受信する、請求項１から１１のいずれか１項に記載の電池制御装置。
【請求項１３】
前記制御手段は、前記電力系統の状態と前記動作制御情報とに基づいて電池の動作を制御する時間間隔が不定期である、請求項１から１２のいずれか１項に記載の電池制御装置。
【請求項１４】
電力系統に接続された複数の電池の動作を制御する電池制御装置と通信する制御装置であって、
前記電池の状態を表す状態情報を受信する第２通信手段と、
前記第２通信手段にて受信された前記状態情報に基づいて前記電池の動作を制御するための動作制御情報を生成し、前記動作制御情報に基づいて前記電池が動作を行う所定の時間間隔より長い時間間隔で、前記動作制御情報を電池制御装置に送信する処理手段と、を備える制御装置。
【請求項１５】
前記電力系統の状態を把握する把握手段を備え、
前記処理手段は、前記第２通信手段にて受信された前記状態情報と、前記電力系統の状況とに基づいて動作制御情報を生成する、請求項１４に記載の制御装置。
【請求項１６】
前記処理手段は、前記電力系統の状態と前記動作制御情報とに基づいて前記電池が動作を行う所定の時間間隔より長い時間間隔で、前記動作制御情報を前記電池制御装置へ送信する請求項１４または１５に記載の制御装置。
【請求項１７】
前記第２通信手段は、前記電池制御装置から前記状態情報を受信し、
前記処理手段は、前記電池制御装置に前記動作制御情報を送信する送受信処理を前記所定時間間隔で実行する、請求項１４から１６のいずれか１項に記載の制御装置。
【請求項１８】
前記第２通信手段は、前記状態情報として、前記電池の充放電可能容量または充放電出力を特定する電池情報を受信する、請求項１４から１６のいずれか１項に記載の制御装置。
【請求項１９】
前記第２通信手段は、前記電力系統と前記電池との連系点の状態を受信する、請求項１４から１６のいずれか１項に記載の制御装置。
【請求項２０】
前記処理手段は、前記連系点の状態と、前記電力系統内の電圧調整対象箇所の電圧である調整対象電圧と、の相関関係を表す相関関係情報である前記動作制御情報を送信する請求項１９に記載の制御装置。
【請求項２１】
前記第２通信手段は、前記動作制御情報を不定期に送信する、請求項１４から２０のいずれか１項に記載の制御装置。
【請求項２２】
電力系統に接続された電池を制御する電池制御装置と、前記電池制御装置と通信する制御装置と、を含む電池制御システムであって、
前記電池制御装置は、
前記電池の状態を表す状態情報を前記制御装置に送信し、前記制御装置から前記電池の動作を制御するための動作制御情報を所定時間間隔で受信する第１通信手段と、
前記所定時間間隔より短い時間間隔で、前記動作制御情報に基づいて前記電池の動作を制御する制御手段と、を含み、
前記制御装置は、
前記電池制御装置から前記電池の状態を表す状態情報を受信する第２通信手段と、
前記第２通信手段にて受信された前記状態情報に基づいて前記動作制御情報を生成し、前記動作制御情報に基づいて前記電池が動作を行う所定の時間間隔より長い時間間隔で、前記動作制御情報を前記電池制御装置に送信する処理手段と、を含む電池制御システム。
【請求項２３】
電力系統に接続された電池の動作を制御する電池制御装置が行う電池制御方法であって、
前記電池の状態を表す状態情報を外部装置に送信し、
前記外部装置から前記電池の動作を制御するための動作制御情報を所定時間間隔で受信し、
前記所定時間間隔より短い時間間隔で、前記動作制御情報に基づいて前記電池の動作を制御する、電池制御方法。
【請求項２４】
制御装置が行う電池制御支援方法であって、
前記電池の状態を表す状態情報を受信し、
前記状態情報に基づいて前記電池の動作を制御するための動作制御情報を生成し、
前記動作制御情報に基づいて前記電池が動作を行う所定の時間間隔より長い時間間隔で、前記動作制御情報を電池制御装置に送信する、電池制御支援方法。
【請求項２５】
電力系統に接続された電池を制御する電池制御装置と、前記電池制御装置と通信する制御装置と、を含む電池制御システムが行う電池制御方法であって、
前記電池制御装置が、
前記電池の状態を表す状態情報を前記制御装置に送信し、
前記制御装置が、
前記電池制御装置から前記状態情報を受信し、
前記状態情報に基づいて前記電池の動作を制御するための動作制御情報を生成し、前記動作制御情報に基づいて前記電池が動作を行う所定の時間間隔より長い時間間隔で、前記動作制御情報を前記電池制御装置に送信し、
前記電池制御装置が、
前記制御装置から前記動作制御情報を所定時間間隔で受信し、
前記所定時間間隔より短い時間間隔で、前記動作制御情報に基づいて前記電池の動作を制御する、電池制御方法。
【手続補正２】
【補正対象書類名】明細書
【補正対象項目名】発明の名称
【補正方法】変更
【補正の内容】
【発明の名称】電池制御装置、制御装置、電池制御システム、電池制御方法及び電池制御支援方法
【手続補正３】
【補正対象書類名】明細書
【補正対象項目名】０００１
【補正方法】変更
【補正の内容】
【０００１】
本発明は、電池制御装置、制御装置、電池制御システム、電池制御方法及び電池制御支援方法に関し、特には、電力系統に接続された電池の放電または充電を制御する電池制御装置、制御装置、電池制御システム、電池制御方法及び電池制御支援方法に関する。
【手続補正４】
【補正対象書類名】明細書
【補正対象項目名】００１８
【補正方法】変更
【補正の内容】
【００１８】
本発明の目的は、上記課題を解決可能な電池制御装置、制御装置、電池制御システム、電池制御方法及び電池制御支援方法を提供することである。
【手続補正５】
【補正対象書類名】明細書
【補正対象項目名】００１９
【補正方法】変更
【補正の内容】
【００１９】
本発明の電池制御装置は、
電力系統に接続された電池の動作を制御する電池制御装置であって、
前記電池の状態を表す状態情報を外部装置に送信し、前記外部装置から前記電池の動作を制御するための動作制御情報を所定時間間隔で受信する第１通信手段と、
前記所定時間間隔より短い時間間隔で、前記動作制御情報に基づいて前記電池の動作を制御する制御手段と、を含む。
【手続補正６】
【補正対象書類名】明細書
【補正対象項目名】００２０
【補正方法】変更
【補正の内容】
【００２０】
本発明の制御装置は、
電力系統に接続された複数の電池の動作を制御する電池制御装置と通信する制御装置であって、
前記電池の状態を表す状態情報を受信する第２通信手段と、
前記第２通信手段にて受信された前記状態情報に基づいて前記電池の動作を制御するための動作制御情報を生成し、前記動作制御情報に基づいて前記電池が動作を行う所定の時間間隔より長い時間間隔で、前記動作制御情報を電池制御装置に送信する処理手段と、を備える。
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】変更
【補正の内容】
【００２２】
本発明の電池制御システムは、
電力系統に接続された電池を制御する電池制御装置と、前記電池制御装置と通信する制御装置と、を含む電池制御システムであって、
前記電池制御装置は、
前記電池の状態を表す状態情報を前記制御装置に送信し、前記制御装置から前記電池の動作を制御するための動作制御情報を所定時間間隔で受信する第１通信手段と、
前記所定時間間隔より短い時間間隔で、前記動作制御情報に基づいて前記電池の動作を制御する制御手段と、を含み、
前記制御装置は、
前記電池制御装置から前記電池の状態を表す状態情報を受信する第２通信手段と、
前記第２通信手段にて受信された前記状態情報に基づいて前記動作制御情報を生成し、前記動作制御情報に基づいて前記電池が動作を行う所定の時間間隔より長い時間間隔で、前記動作制御情報を前記電池制御装置に送信する処理手段と、を含む。
【手続補正９】
【補正対象書類名】明細書
【補正対象項目名】００２３
【補正方法】変更
【補正の内容】
【００２３】
本発明の電池制御方法は、
電力系統に接続された電池の動作を制御する電池制御装置が行う電池制御方法であって、
前記電池の状態を表す状態情報を外部装置に送信し、
前記外部装置から前記電池の動作を制御するための動作制御情報を所定時間間隔で受信し、
前記所定時間間隔より短い時間間隔で、前記動作制御情報に基づいて前記電池の動作を制御する。
または、電力系統に接続された電池を制御する電池制御装置と、前記電池制御装置と通信する制御装置と、を含む電池制御システムが行う電池制御方法であって、
前記電池制御装置が、
前記電池の状態を表す状態情報を前記制御装置に送信し、
前記制御装置が、
前記電池制御装置から前記状態情報を受信し、
前記状態情報に基づいて前記電池の動作を制御するための動作制御情報を生成し、前記動作制御情報に基づいて前記電池が動作を行う所定の時間間隔より長い時間間隔で、前記動作制御情報を前記電池制御装置に送信し、
前記電池制御装置が、
前記制御装置から前記動作制御情報を所定時間間隔で受信し、
前記所定時間間隔より短い時間間隔で、前記動作制御情報に基づいて前記電池の動作を制御する。
本発明の電池制御支援方法は、
制御装置が行う電池制御支援方法であって、
前記電池の状態を表す状態情報を受信し、
前記状態情報に基づいて前記電池の動作を制御するための動作制御情報を生成し、
前記動作制御情報に基づいて前記電池が動作を行う所定の時間間隔より長い時間間隔で、前記動作制御情報を電池制御装置に送信する。